(57)【要約】【課題】本発明は、容易に収納物の保持部分を形成し得る新規な多角形筒状の段ボール梱包箱を提供することを目的とする。【解決手段】本発明に係る段ボール梱包箱は、有底の多角形筒状の段ボール梱包箱であって、筒を形成する稜線のうち少なくとも一つの稜線から隣接する二つの側面を垂直方向に延在するよう形成された切り込み溝と、前記切り込み溝から前記稜線に沿って形成された谷折り部とを備え、前記切り込み溝とは異なる角度で、前記切り込み溝の少なくとも一方の端部から延在する延長切り込み溝が形成されている。【選択図】図３Ａ
2018070252.tif 000002
【特許請求の範囲】
【請求項１】
有底の多角形筒状の段ボール梱包箱において、
筒を形成する稜線のうち少なくとも一つの稜線から隣接する二つの側面を垂直方向に延在するよう形成された切り込み溝と、
前記切り込み溝から前記稜線に沿って形成された谷折り部とを備え、
前記切り込み溝とは異なる角度で、前記切り込み溝の少なくとも一方の端部から延在する延長切り込み溝が形成された段ボール梱包箱。
【請求項２】
請求項１記載の段ボール梱包箱において、
前記延長切り込み溝の長さは、前記切り込み溝の長さの１／８〜１／２である、梱包箱。
【請求項３】
請求項１又は２記載の梱包箱において、
前記延長切り込み溝の長さは、前記切り込み溝の長さに対して１／４の長さである、段ボール梱包箱。
【請求項４】
請求項１〜３のいずれか一項記載の段ボール梱包箱において、
前記延長切り込み溝は、前記切り込み溝に対して120〜150°の角度で形成されている、段ボール梱包箱。
【請求項５】
請求項１〜４のいずれか一項に記載の段ボール梱包箱において、
前記延長切り込み溝を第１延長切り込み溝とし、更に、前記切り込み溝の端部から前記第１延長切り込み溝とは異なる角度で延在する第２延長切り込み溝が形成されている、段ボール梱包箱。
【請求項６】
請求項１〜５のいずれか一項に記載の段ボール梱包箱において、
前記切り込み溝に対して、二本以上の延長切り込み溝が形成されている、段ボール梱包箱。
【請求項７】
請求項５に記載の段ボール梱包箱において、
第１延長切り込み溝の長さに比較して、第２延長切り込み溝の長さは短くなっている、段ボール梱包箱。
【請求項８】
請求項１〜７のいずれか一項に項記載の段ボール梱包箱において、
折り曲げ部を形成する２つの山折り部と谷折り部には、端部を除いた部分に第２の切り込み溝が形成されている、段ボール梱包箱。
【請求項９】
請求項８に記載の段ボール梱包箱において、
第２の切り込み溝は、山折り部及び谷折り部の長さに対して、１/４〜３/４の長さである、段ボール梱包箱。
【発明の詳細な説明】
【技術分野】
【０００１】
本発明は、段ボール梱包箱（「ダンボール梱包箱」とも表記する。）に関する。
【背景技術】
【０００２】
段ボール梱包箱は、物品の移送用に広く利用されている。代表的な段ボール梱包箱として、有底の多角形筒状（代表的には、四角形筒状）の梱包箱がある。
【先行技術文献】
【特許文献】
【０００３】
【特許文献１】特開2010-13180「簡易型段ボール梱包箱」（公開日：2010.1.21）出願人：五光商事株式会社
【特許文献２】特開2013-32176「梱包ケース」（公開日：2013.2.14）出願人：本田技研工業株式会社（特許第5722725号）
【発明の概要】
【発明が解決しようとする課題】
【０００４】
このような段ボール梱包箱では、物品を収納した後、切り込み溝を利用して角部の一部を内側に折り込み、折り込み部分で収納物を位置決め保持する部分を形成することが行われている。しかし、角部を内側に折り曲げる際、切り込み溝が押し拡げられ、その端部から亀裂が発生することがあった。
【０００５】
そこで、本発明は、容易に収納物の保持部分を形成し得る新規な多角形筒状の段ボール梱包箱を提供することを目的とする。
【課題を解決するための手段】
【０００６】
本発明に係る有底の多角形筒状の段ボール梱包箱は、筒を形成する稜線のうち少なくとも一つの稜線から隣接する二つの側面を垂直方向に延在するよう形成された切り込み溝と、前記切り込み溝から前記稜線に沿って形成された谷折り部とを備え、前記切り込み溝とは異なる角度で、前記切り込み溝の少なくとも一方の端部から延在する延長切り込み溝が形成されている。
【０００７】
更に、上記有底の多角形筒状の段ボール梱包箱では、前記延長切り込み溝の長さは、前記切り込み溝の長さの１／８〜１／２であってよい。
【０００８】
更に、上記有底の多角形筒状の段ボール梱包箱では、前記延長切り込み溝の長さは、前記切り込み溝の長さに対して１／４の長さであってよい。
【０００９】
更に、上記有底の多角形筒状の段ボール梱包箱では、前記延長切り込み溝は、前記切り込み溝に対して120〜150°の角度で形成されていてもよい。
【００１０】
更に、上記有底の多角形筒状の段ボール梱包箱では、前記延長切り込み溝を第１延長切り込み溝とし、更に、前記切り込み溝の端部から前記第１延長切り込み溝とは異なる角度で延在する第２延長切り込み溝が形成されていてもよい。
【００１１】
更に、上記有底の多角形筒状の段ボール梱包箱では、前記切り込み溝に対して、二本以上の延長切り込み溝が形成されていてもよい。
【００１２】
更に、上記有底の多角形筒状の段ボール梱包箱では、第１延長切り込み溝の長さに比較して、第２延長切り込み溝の長さは短くなっていてもよい。
【００１３】
更に、上記有底の多角形筒状の段ボール梱包箱では、折り曲げ部を形成する２つの山折り部と谷折り部には、端部を除いた部分に第２の切り込み溝が形成されていてもよい。
【００１４】
更に、上記有底の多角形筒状の段ボール梱包箱では、第２の切り込み溝は、山折り部及び谷折り部の長さに対して、１/４〜３/４の長さであってよい。
【発明の効果】
【００１５】
本発明によれば、容易に収納物の保持部分を形成し得る新規な多角形筒状の段ボール梱包箱を提供することが出来る。
【図面の簡単な説明】
【００１６】
【図１Ａ】図１Ａは、現在の段ボール梱包箱を作る段ボールシートの展開形状を説明する図である。
【図１Ｂ】図１Ｂは、図１Ａの展開形状シートから形成される四角形筒状の梱包箱の側面斜視図である。
【図１Ｃ】図１Ｃは、この梱包箱に使用される底パッドを示す図である。
【図１Ｄ】図１Ｄは、この梱包箱の収納物品であるランプを示す図である。
【図１Ｅ】図１Ｅは、この梱包箱に使用されるランプ上部を位置決め保持するスペーサを説明する図である。
【図１Ｆ】図１Ｆは、折り込み部分が形成され梱包箱を説明する図である。
【図２Ａ】図２Ａは、切り込み溝端部に発生する亀裂を説明するため、梱包箱の折り込み部分形成前の部分拡大図である。
【図２Ｂ】図２Ｂは、切り込み溝端部に発生する亀裂を説明するため、梱包箱の折り込み部分形成途中の部分拡大図である。
【図３Ａ】図３Ａは、本実施形態に係る段ボール梱包箱を作る段ボールシートの展開形状を説明する図である。
【図３Ｂ】図３Ｂは、図３Ａに示す破線円部分の拡大図であり、延長切り込み溝の詳細を説明する図である。
【発明を実施するための形態】
【００１７】
以下、本発明に係る段ボール梱包箱の実施形態に関し、添付の図面を参照しながら詳細に説明する。
【００１８】
［現状の段ボール梱包箱による梱包作業］
本実施形態を容易に理解出来るように、最初に、現状の段ボール梱包箱による梱包作業に関して説明する。図１Ａ〜１Ｆを参照しながら、本出願人が、四角形筒状の梱包箱を用意し、ランプを収納するステップを説明する。
【００１９】
(1)図１Ａに示すように、段ボールシート１０が、所定の外形（展開形状）に打ち抜き加工されると共に打ち抜かれた展開形状面内に所定の折り曲げ用の罫線及び切り込み溝が形成される。
ここで、分かり易くするため、最終形態の四角形筒状の梱包箱の側面を（Ａ）〜（Ｄ）とし、上面を（Ｅ）とし、底面を（Ｆ）とし、接合用接着剤で接合する継ぎしろ部を（Ｇ）とする。
また、折り曲げ用の罫線は破線で示し、次工程で山折りする箇所は符号△を付し、谷折りする箇所は符号▽を付す。なお、罫線の破線が、外形線の実線と重なると破線が見えなくなるため、相互に僅かにずらして表示することを承知されたい。切り込み溝は、太い実線で示す。
【００２０】
側面（Ａ）と（Ｃ）は、継ぎしろ部（Ｇ）を除き同形であり、側面（Ｂ）と（Ｄ）は、同形である。従って、以下、いずれか一方を説明する。
【００２１】
後工程で折り込み部分を形成するために切り込み溝２，４が形成される。切り込み溝４は、折り曲げ部での折り曲げ強度を弱くして容易に折り曲げ可能にするため形成される。切り込み溝２は、箱内方に折り曲げ部を形成するためのものである。
【００２２】
(2)打ち抜き加工された段ボールシートは、図１Ａに示す山折り箇所△で折り曲げられ、継ぎしろ部（Ｇ）に接着剤を塗布して接合し、図１Ｂに示すように四角形筒状にされる。側面（Ａ）の一部にＡ面折り曲げ部（ＡＰ）があり、側面（Ｂ）の一部にＢ面折り曲げ部（ＢＰ）がある。
【００２３】
(3)一方の端面に形成された各フラップ（図１Ａの（Ｆ））が、内側に折り曲げ突き合わされ、更に外側又は内側から粘着テープで張り合わされて底部が形成される。所望により、図１Ｃに示すような底パッド６が、谷折り箇所▽で折り曲げられ用意され、四角形筒状の梱包箱の他方の開口端面から内部に入れられ、底部の内側に敷かれる。
【００２４】
(4) 図１Ｄに示す収納物品であるランプ１４が、ランプトップ１４ｂを下にして、梱包箱の他方の開口端面から収納され、図１Ｃに示す底パッド６の設置場所６ａに固定される。
所望により、図１Ｅに示すように、物品の上部を位置決め保持するスペーサ（グレイで表示）、図示していないが複数のランプを収納した場合のランプ間の距離を規制するスペーサ、ランプ頂部と蓋部間を規制するスペーサ等がはめ込まれる。
【００２５】
(5) 予め、所定の角部に形成された水平方向の切り込み溝２を利用して、角部を内側に折り込み（即ち、図１Ｂに示した谷折り箇所▽で折り曲げられるともに、山折り箇所△で折り曲げられ）、図１Ｆに示すように折り込み部分が形成される。同様に、梱包箱の反対側角部にも折り込み部分が形成される。この折り込み部分により、収納されたランプ１４が梱包箱内で位置決め保持される。
【００２６】
(6) 図示していないが、所望により、他方の開口端面に合わせて蓋部パッドが配置され、更に外側から粘着テープで張り合わされる。更に、ランプ型番、仕様等を表示するラベルが貼られ、梱包が完成する。
【００２７】
（切り込み溝の亀裂の発生）
図２Ａは、梱包箱の折り込み部分形成前の部分拡大図であり、図２Ｂは、折り込み部分形成途中の部分拡大図である。ここで、側面（Ａ）の切り込み溝２の両端をａｂとし、Ａ面折り曲げ部（ＡＰ）の両端をａｄとして説明する。同様に、側面（Ｂ）の切り込み溝２の両端をｂｃとし、Ｂ面折り曲げ部（ＢＰ）の両端をｄｃとして説明する。
【００２８】
図２Ａに示す折り込み部分形成前では、切り込み溝２の側面（Ａ）（Ｂ）側の長さａｂｃと、折り曲げ部（ＡＰ）（ＢＰ）側の長さａｄｃは、同じである（長さａｂｃ＝長さａｄｃ）。
【００２９】
しかし、図２Ｂに示すように、角部を内側に折り曲げる過程では、切り込み溝の折り曲げ部分の長さａｄｃは、側面（Ａ）（Ｂ）の切り込み溝の長さａｄｃより長くなるため、切り込み溝の両端部に応力が集中する。段ボールは、強い剛性を示すと共に、圧力がかかると若干の可撓性を示すので、側面（Ａ）（Ｂ）の切り込み溝部分は若干湾曲する。しかし、応力が、切り込み溝端部の強度を越えると、亀裂２ａが発生し、拡大する。
【００３０】
［本実施形態に係る段ボール梱包箱］
図３Ａに示すように、本実施形態に係る段ボール梱包箱３０は、角部を内側に折り曲げる過程において、切り込み溝２の両端部に集中する応力を逃がすため、延長切り込み溝１６を形成している。
【００３１】
図３Ｂは、図３Ａに示す破線円部分の拡大図であり、延長切り込み溝１６の詳細を説明する図である。実験により、好ましい延長切り込み溝１６の構成、長さ、方向等に関し、次のように決定することが出来た。
【００３２】
先ず、切り込み溝２の端部から僅かに下向きに延在する第１延長切り込み溝１６−１が形成される。第１延長切り込み溝１６−１の長さＬｅ１は、切り込み溝２の長さＬｃの１／８〜１／２であることが好ましい（Le1/Lc＝0.125〜0.5）。第１延長切り込み溝１６−１の長さが切り込み溝２の長さの１／８より短い場合、折り曲げ時の応力を逃がす効果が小さく、亀裂が生じる場合もある。また、第１延長切り込み溝１６−１の長さが切り込み溝２の長さの１／２より長い場合、梱包箱に非常に大きな切り込み溝が形成されることとなり、梱包箱自体の強度低下につながる。
【００３３】
更に、延長切り込み溝の長さは、切り込み溝の長さに対して１／４程度であることが好ましい(Le1/Lc≒0.25)。
【００３４】
切り込み溝２に対して、第１延長切り込み溝１６−１が成す角度θＬｅ１は、１２０〜１５０度が好ましい（θLe1＝120〜150°）。
多くの場合、第１延長切り込み溝１６−１によって、切り込み溝２の両端部に係る応力は適当に逃がされ、亀裂が発生することは無かった。
【００３５】
しかし、延長切り込み溝１６は一本に限定されない。２本以上有ってもよい。第１延長切り込み溝１６−１に加えて、切り込み溝２の端部から僅かに上向きに延在する第２延長切り込み溝１６−２を形成しても良い。第２延長切り込み溝１６−２の長さＬｅ２は、第１延長切り込み溝１６−１の長さＬｅ１より短いことが好ましい(Le1≧Le2)。
【００３６】
図３Ａでは、第１延長切り込み溝１６−１は溝端部から僅かに下向きに延在し、第１延長切り込み溝１６−２は溝端部から僅かに上向きに延在すると説明したが、これらは相互に逆方向であってもよい。
【００３７】
［その他］
以上、本発明に係る段ボール梱包箱の実施形態に関し説明したが、これらは例示であって、本発明を何ら限定するものではない。当業者が容易になし得る実施形態に対する追加・削除・変更等は、本発明の範囲内である。本発明の技術的範囲は、添付の特許請求の範囲の記載によって定められる。
【符号の説明】
【００３８】
２：切り込み溝、  ２ａ：亀裂、  ４：切り込み溝、  ６：底パッド、  ６ａ：設置場所、  １０：段ボールシート、  １４：収納物品，ランプ、  １４ａ：ランプ口金、  １４ｂ：ランプトップ、  １６：延長切り込み溝、  １６−１：第１延長切り込み溝、  １６−２：第２延長切り込み溝、  ３０：段ボール梱包箱
（Ａ），（Ｂ），（Ｃ），（Ｄ）：梱包箱の側面、  （Ｅ）：梱包箱の上面、  （Ｆ）：梱包箱の底面、  （Ｇ）：継ぎしろ部、  （ＡＰ）：Ａ面折り曲げ部、  （ＢＰ）：Ｂ面折り曲げ部、  （ＣＰ）：Ｃ面折り曲げ部、  （ＤＰ）：Ｄ面折り曲げ部、  Ｌｃ：切り込み溝の長さ、  Ｌｅ１：第１延長切り込み溝の長さ、  Ｌｅ２：第２延長切り込み溝の長さ、  θＬｅ１：第１延長切り込み溝が成す角度、
△：山折りする箇所、  ▽：谷折りする箇所、
【図１Ａ】
2018070252.tif 000003
【図１Ｂ】
2018070252.tif 000004
【図１Ｃ】
2018070252.tif 000005
【図１Ｄ】
2018070252.tif 000006
【図１Ｅ】
2018070252.tif 000007
【図１Ｆ】
2018070252.tif 000008
【図２Ａ】
2018070252.tif 000009
【図２Ｂ】
2018070252.tif 000010
【図３Ａ】
2018070252.tif 000011
【図３Ｂ】
2018070252.tif 000012